(57)【要約】      （修正有）【課題】２種類のカードの両方が挿着可能であって、部品点数が削減されると共に、製造コストが低減されるカード用コネクタ装置を提供する。【解決手段】ハウジングと、第１端子組と、第２端子組とを含む。ハウジングは、異なるカードを収容するのに用いられる収容空間を形成する。第１端子組は、収容空間に受容され、カードに接続するのに用いられる第１コンタクト部１２２と、ハウジングから突出していて、回路基板に接続可能な第１半田付け部１２１と、第１コンタクト部と第１半田付け部に連接する第１連接部１２３とを有する。第２端子組も、収容空間に受容され、カードに接続するのに用いられる第２コンタクト部２２２と、ハウジングから突出していて、回路基板に接続可能な第２半田付け部２２１と、第２コンタクト部と第２半田付け部に連接する第２連接部２２３とを有する。第１半田付け部と第２半田付け部とは、同じ一列に位置する。【選択図】図３
0003115581.tif 000002
【実用新案登録請求の範囲】
【請求項１】
異なるカードを収容するのに用いられる収容空間を形成するハウジングと、
前記収容空間に受容され、カードに接続するのに用いられる第１コンタクト部と、前記ハウジングから突出していて、回路基板に接続可能な第１半田付け部と、前記ハウジングに装着され、前記第１コンタクト部と第１半田付け部に連接する第１連接部と、を有する第１端子組と、
前記収容空間に受容され、カードに接続するのに用いられる第２コンタクト部と、前記ハウジングから突出していて、回路基板に接続可能な第２半田付け部と、前記ハウジングに装着され且つ前記第１連接部の下方に位置し、前記第２コンタクト部と第２半田付け部に連接する第２連接部と、を有する第２端子組と
を含み、前記第１半田付け部と第２半田付け部とは、同じ一列に位置することを特徴とするカード用コネクタ装置。
【請求項２】
前記カード用コネクタ装置は、上下に重なる第１コネクタと第２コネクタとを含むことを特徴とする請求項１に記載のカード用コネクタ装置。
【請求項３】
前記収容空間は、前記第１コネクタに対応する第１収容空間と、第２コネクタに対応する第２収容空間とを有し、前記第１半田付け部が前記第１収容空間に受容され、前記第２半田付け部が前記第２収容空間に受容されることを特徴とする請求項２記載のカード用コネクタ装置。
【請求項４】
前記ハウジングは、前記第１コネクタに対応する第１ハウジングと、前記第２コネクタに対応する第２ハウジングとを有し、前記第１連接部が前記第１ハウジング内に装着され、前記第２連接部が前記第１ハウジングと第２ハウジングとの間に装着されることを特徴とする請求項３記載のカード用コネクタ装置。
【請求項５】
前記第１ハウジングと第２ハウジングとは、第１主体部と第２主体部とをそれぞれ形成していて、前記第１連接部が前記第１主体部の一側に装着され、前記第２連接部が前記第１主体部と第２主体部との間に装着されることを特徴とする請求項４記載のカード用コネクタ装置。
【請求項６】
前記第１主体部は、前記第１収容空間に延在する舌片を有し、前記第１コンタクト部が前記舌片に装着されることを特徴とする請求項５記載のカード用コネクタ装置。
【請求項７】
前記第１コネクタは、エクスプレスカード用コネクタであり、前記第２コネクタは、スマートカード用コネクタであることを特徴とする請求項６記載のカード用コネクタ装置。
【考案の詳細な説明】
【技術分野】
【０００１】
本考案はカード用コネクタ装置に関し、特に上下に重なるカード用コネクタ装置に関するものである。
【背景技術】
【０００２】
ノートブック型パソコン等の電子機器の増設記録装置としてカード用コネクタ装置が一般的に使用されている。このカード用コネクタ装置の記憶媒体としてはＰＣカードやメモリーカードが広く使用されるようになってきている。
【０００３】
従来のカード用コネクタ装置においては、一枚のカードしか挿着することができず、そのため、例えば二枚或いは二枚以上のカードの両方或いは全てを挿着したい場合に、電子機器の回路基板に対応するカード用コネクタをそれぞれ実装しなければならず面倒で、且つ実装面積を確保しなければならないという問題があった。同時に２つのコネクタを配置する場合は２つ並べて実装するしかなく実装面積が大きくなり、且つ部品点数が多くなっていた。
【０００４】
その後、上下に重ねて実装するカード用コネクタ装置が考案され、これは、例えば、特許文献１に開示されたようなカード用コネクタ装置であり、該カード用コネクタは、第１カードを接続するための第１コネクタと、第２カードを接続するための第２コネクタとを含む。前記上下に重なる第１コネクタと第２コネクタとを電子機器の回路基板に接続したい時には、各コネクタの導電端子を中継接続用基板にそれぞれ半田付けして、中継接続用基板を介して、前記第１コネクタと第２コネクタとを、電子機器の回路基板にそれぞれ接続する。
【特許文献１】中国特許公告第２５２００１１号明細書
【考案の開示】
【考案が解決しようとする課題】
【０００５】
しかしながら、前記特許文献１に開示されたカード用コネクタ装置は、電子機器の回路基板に接続する時に、中継接続用基板を介さなければならず、部品点数が多くなり、製造コストが増加し、且つ信号の伝送の質および量に影響する恐れがある。
【０００６】
そこで、従来の技術の不足点を改善したカード用コネクタ装置を開発する必要がある。
【０００７】
本考案は、２種類のカードの両方が挿着可能であって、部品点数の削減を図ると共に、製造コストを低減するカード用コネクタ装置を提供することを目的とする。
【課題を解決するための手段】
【０００８】
本考案のカード用コネクタ装置は、ハウジングと第１端子組と、第２端子組とを含む。前記ハウジングは異なるカードを収容するのに用いられる収容空間を形成する。第１端子組は、前記収容空間に受容され、カードに接続するのに用いられる第１コンタクト部と、前記ハウジングから突出していて、回路基板に接続可能な第１半田付け部と、前記ハウジングに装着され、前記第１コンタクト部と第１半田付け部に連接する第１連接部と、を有する。第２端子組は、前記収容空間に受容され、カードに接続するのに用いられる第２コンタクト部と、前記ハウジングから突出していて、回路基板に接続可能な第２半田付け部と、前記ハウジングに装着され且つ前記第１連接部の下方に位置し、前記第２コンタクト部と第２半田付け部に連接する第２連接部とを有する。前記第１半田付け部と第２半田付け部とは、同じ一列に位置する。
【考案の効果】
【０００９】
従来技術に比べ、本考案は以下の利点を有する。カード用コネクタ装置は、第１端子組と第２端子組の半田付け部が同じ一列に位置していて、更に回路基板にそれぞれ直に半田付けされるので、部品点数が削減されると共に、製造コストが低減される。
【考案を実施するための最良の形態】
【００１０】
本考案の実施形態において、図１〜図８に示すようなカード用コネクタ装置は、第１カードを接続するための第１コネクタ１と、第２カードを接続するための、前記第１カードと上下に重なる第２コネクタ２と、前記第１コネクタ１及び第２コネクタ２の下方に位置する電子機器の回路基板（以下、単に回路基板という）３と、ネジ４と、位置決め板５と、を有する。
【００１１】
図１を参照すると、前記第１コネクタ１は、小型化カード用コネクタであり、特に本実施形態においては、エクスプレス（Express）カード用コネクタである。第１コネクタ１は、第１ハウジング１１と、第１ハウジング１１に装着される第１端子組１２と、前記第１ハウジングを覆う第１シェル１３と、排出機構１４と、を有する。前記第１ハウジング１１は、左右方向に位置する一対の支持アーム１１１と、該一対の支持アーム１１１を連接し且つ前記一対の支持アーム１１１の間に形成される舌片１１２１を有する第１主体部（図３に示す）１１２とを含み、前記支持アーム１１１には、上面に前記ネジ４が通過するための孔（参照記号なし）を有する凹部１１１１がそれぞれ形成され、外側に前記第１シェル１３に係合する係止凸部１１１２がそれぞれ形成されている。
【００１２】
前記第１端子組１２は、前記第１ハウジング１１の第１主体部１１２に装着され、回路基板３に接続する第１半田付け部１２１と、カードに接続するための第１コンタクト部１２２と、前記第１半田付け部１２１と第１コンタクト部１２２とを連接する第１連接部１２３とを有し、前記第１半田付け部１２１は前記第１主体部１１２から突出していて、前記コンタクト部１２２は前記第１主体部１１２の舌片１１２１に露出され、前記第１連接部１２３は前記第１主体部１１２の一側に取り付けられる。
【００１３】
前記第１ハウジング１１を覆う第１シェル１３には、下向きに延在する側壁１３１が形成され、側壁１３１には前記第１ハウジング１１の係止凸部１１１２に係合する開溝１３１１が形成され、これにより、第１シェル１３は前記第１ハウジング１１上に保持される。前記排出機構１４は前記第１シェル１３と第１ハウジング１１との一側に取り付けられ、カードを排出するのに用いられる。
【００１４】
前記第２コネクタ２は、本実施形態において、スマート（Smart）カード用コネクタであり、第２絶縁ハウジング２１と、前記第１ハウジング１１と第２ハウジング２１との間に装着される第２端子組２２と、前記第２ハウジング２１を覆う第２シェル２３とを含み、前記第２ハウジングは、左右方向に位置する一対の支持アーム２１１と、前記一対の支持アーム２１１に連接する第２主体部２１２とを有し、前記支持アーム２１１には、上面に前記ネジ４が通過するための孔（参照記号なし）を有する凹部２１１１がそれぞれ形成され、外側に前記第２シェル２３に係合する係止凸部２１１２がそれぞれ形成されている。
【００１５】
前記第２端子組２２は、回路基板３に接続する第２半田付け部２２１と、カードに接続するための第２コンタクト部２２２と、前記第２半田付け部２２１と第２コンタクト部２２２とを連接する第２連接部２２３とを有し、前記第２連接部２２３は前記第１主体部１１２と第２主体部２１２との間に取付けられ、且つ第１主体部１１２と第２主体部２１２との中間に位置する。前記第２半田付け部２２１は前記第１主体部１１２と第２主体部２１２とから突出し、前記第２コンタクト部２２３は前記第２連接部２２３と同じ方向に延在する。
【００１６】
前記第２ハウジング２１を覆う第２シェル２３には、下向きに延在する側壁２３１が形成され、側壁２３１には前記第２ハウジング２１の係止凸部２１１２に係合する開溝２３１１が形成され、これにより、第２シェル２３は前記第２ハウジング２１上に保持される。
【００１７】
前記第１コネクタ１と第２コネクタ２とが上下に重ねられる時に、前記第２コネクタ２は前記第１コネクタ１の下方に位置し、第１主体部１１２は第２主体部２１２と上下に対応し、前記第１ハウジング１１の凹部１１１１は第２ハウジング２１の凹部２１１１に対応し、前記ネジ４が前記凹部１１１１、２１１１に形成された孔を通過することにより、前記第１コネクタ１と第２コネクタ２とは安定的に連接される。
【００１８】
前記第１コネクタ１と第２コネクタ２とが上下に重ねられる時に、前記第１シェル１３と第２シェル２３と第１ハウジング１１とは第１収容空間１５を包囲し、前記舌片１１２１は該第１収容空間１５に受容される。前記第２シェル２３と第２ハウジング２１とは第２収容空間２４を包囲し、前記第２端子組２２の第２コンタクト部２２２は該第２収容空間２４に受容される。前記位置決め板５は前記第１ハウジング１１の先端（参照記号なし）に取付けられていて、複数の端子孔（参照記号なし）が形成されている。
【００１９】
前記第１端子組１２の連接部１２３と第２端子組２２の連接部２２３とは、前記位置決め板５の端子孔をそれぞれ通過することにより位置決めされる。前記第１端子組１２は前記第１主体部１１２に装着され、前記第２端子組２２は前記第１主体部１１２と第２主体部２１２との間に装着され、そこで、前記第１端子組１２と第２端子組２２との半田付け部１２１、２２１は部分的に重なり合う。半田付けし易いように、前記第２端子組２２の半田付け部２２１は前記第１半田付け部１２１から遠離する方向に向けて斜めに引抜加工され、第２半田付け部２２１は前記第１半田付け部１２１と同じ一列に位置させられる（図４と図５を参照）。前記複数の端子組１２、２２の半田付け部１２１、２２１のピッチは１ｍｍである。
【００２０】
回路基板３に接続する際に、前記半田付け部１２１、２２１は、表面に半田付けする技術即ちSMT（Surface Mount Technology）を用いて、回路基板３にそれぞれ直に半田付けされる。このように、従来の技術に比べると、中継接続用基板を使用しないので、部品点数が削減されると共に、製造コストが低減される。
【００２１】
以上本考案についてよい実施の形態を参照して詳細に説明したが、実施形態はあくまでも例示的なものであり、これらに限定されるものではない。また前記の説明は、本考案に基づきなしうる細部の修正或いは変更など、いずれも本考案の請求範囲に属するものとする。
【図面の簡単な説明】
【００２２】
【図１】本考案に係るカード用コネクタ装置が回路基板に接続された組立斜視図である。
【図２】本考案に係るカード用コネクタ装置が回路基板に接続された他の角度から見た組立斜視図である。
【図３】本考案に係るカード用コネクタ装置の一部分の分解斜視図である。
【図４】本考案に係るカード用コネクタ装置の組立斜視図である。
【図５】本考案に係るカード用コネクタ装置の拡大図である。
【符号の説明】
【００２３】
１  第１コネクタ
２  第２コネクタ
３  回路基板
４  ネジ
５  位置決め板
１１  第１ハウジング
１２  第１端子組
１３  第１シェル
１４  排出機構
１５  第１収容空間
２１  第２ハウジング
２２  第２端子組
２３  第２シェル
２４  第２収容空間
１１１、２１１  支持アーム
１１２  第１主体部
１２１  第１半田付け部
１２２  第１コンタクト部
１２３  第１連接部
１３１、２３１  側壁
２１２  第２主体部
２２１  第２半田付け部
２２２  第２コンタクト部
２２３  第２連接部
１１１１、２１１１  凹部
１１１２、２１１２  係止凸部
１３１１、２３１１  開孔
【図１】
0003115581.tif 000003
【図２】
0003115581.tif 000004
【図３】
0003115581.tif 000005
【図４】
0003115581.tif 000006
【図５】
0003115581.tif 000007